(57)【要約】      （修正有）【課題】RRC_INACTIVE状態において、端末位置の更新を孤立的に行うための技術を提供する。【解決手段】ネットワークノードは、自装置に関連すると共に無線アクセスネットワークに基づく端末装置の位置の通知エリアを構成する１つ以上の、端末装置が在圏する在圏セルを含んだセルのそれぞれを特定する情報を、端末装置に通知する。ネットワークノードは、端末装置が在圏セルにおいて無線アクセスネットワークに接続している間に、又は、端末装置が他の通知エリアから脱して在圏セルへ移動したことに応じて、この情報を端末装置へ通知するようにする。【選択図】図５
2018152774.tif 000002
【特許請求の範囲】
【請求項１】
ネットワークノードであって、
前記ネットワークノードに関連すると共に無線アクセスネットワークに基づく端末装置の位置の通知エリアを構成する１つ以上のセルであって、前記端末装置が在圏する在圏セルを含んだ前記１つ以上のセルのそれぞれを特定する情報を、前記端末装置に通知する通知手段を有し、
前記通知手段は、前記端末装置が前記在圏セルにおいて前記無線アクセスネットワークに接続している間に、又は、前記端末装置が他の通知エリアから脱して前記在圏セルへ移動したことに応じて、前記情報を前記端末装置へ通知する、
ことを特徴とするネットワークノード。
【請求項２】
前記通知手段は、前記端末装置がRRC_INACTIVE状態で他の通知エリアから脱して前記在圏セルへ移動した場合、前記端末装置がRRC_INACTIVE状態のまま前記情報を通知する、
ことを特徴とする請求項１に記載のネットワークノード。
【請求項３】
前記通知手段は、他の通知エリアから脱したことの通知を前記端末装置から受信したことに応じて、当該端末装置へ前記情報を通知する、
ことを特徴とする請求項１又は２に記載のネットワークノード。
【請求項４】
前記通知手段は、前記情報を複数の前記端末装置に対して個別に通知する、
ことを特徴とする請求項１から３のいずれか1項に記載のネットワークノード。
【請求項５】
端末装置であって、
無線アクセスネットワークに基づく前記端末装置の位置の通知エリアを構成する１つ以上のセルであって、前記端末装置が在圏する在圏セルを含んだ前記１つ以上のセルのそれぞれを特定する情報を、ネットワークノードから受信する受信手段と、
前記通知エリアを脱した場合に、前記ネットワークノードまたは他のネットワークノードへ、前記通知エリアを脱したことを示す通知を送信する通知手段と、
を有し、
前記受信手段は、前記通知に応じて、前記ネットワークノードまたは前記他のネットワークノードから送信された、前記端末装置の位置に応じた前記情報を受信する、
ことを特徴とする端末装置。
【請求項６】
前記通知は、前記端末装置の位置を示す情報を含む、
ことを特徴とする請求項５に記載の端末装置。
【請求項７】
前記通知は、前記端末装置が在圏するセルを特定する情報を含む、
ことを特徴とする請求項５又は６に記載の端末装置。
【請求項８】
前記端末装置がRRC_INACTIVE状態で前記通知エリアから脱した場合、前記端末装置がRRC_INACTIVE状態のまま、前記通知手段は前記通知を送信し、前記受信手段は前記情報を受信する、
ことを特徴とする請求項５から７のいずれか１項に記載の端末装置。
【請求項９】
前記通知エリアを脱したか否かを、各セルにおいて送信される参照信号を観測することによって判定する判定手段をさらに有する、
ことを特徴とする請求項５から８のいずれか１項に記載の端末装置。
【請求項１０】
ネットワークノードの制御方法であって、
通知手段が、前記ネットワークノードに関連すると共に無線アクセスネットワークに基づく端末装置の位置の通知エリアを構成する１つ以上のセルであって、前記端末装置が在圏する在圏セルを含んだ前記１つ以上のセルのそれぞれを特定する情報を、前記端末装置に通知する通知工程を有し、
前記通知工程では、前記端末装置が前記在圏セルにおいて前記無線アクセスネットワークに接続している間に、又は、前記端末装置が他の通知エリアから脱して前記在圏セルへ移動したことに応じて、前記情報が前記端末装置へ通知される、
ことを特徴とする制御方法。
【請求項１１】
端末装置の制御方法であって、
受信手段が、無線アクセスネットワークに基づく前記端末装置の位置の通知エリアを構成する１つ以上のセルであって、前記端末装置が在圏する在圏セルを含んだ前記１つ以上のセルのそれぞれを特定する情報を、ネットワークノードから受信する受信工程と、
通知手段が、前記通知エリアを脱した場合に、前記ネットワークノードまたは他のネットワークノードへ、前記通知エリアを脱したことを示す通知を送信する通知工程と、
前記受信手段が、前記通知に応じて、前記ネットワークノードまたは前記他のネットワークノードから送信された、前記端末装置の位置に応じた前記情報を受信する工程と、
を有することを特徴とする制御方法。
【請求項１２】
ネットワークノードに備えられたコンピュータに、前記ネットワークノードに関連すると共に無線アクセスネットワークに基づく端末装置の位置の通知エリアを構成する１つ以上のセルであって、前記端末装置が在圏する在圏セルを含んだ前記１つ以上のセルのそれぞれを特定する情報を、前記端末装置に通知させるプログラムで会って、
前記端末装置が前記在圏セルにおいて前記無線アクセスネットワークに接続している間に、又は、前記端末装置が他の通知エリアから脱して前記在圏セルへ移動したことに応じて、前記情報が前記端末装置へ通知される、
ことを特徴とするプログラム。
【請求項１３】
端末装置に備えられたコンピュータに、
無線アクセスネットワークに基づく前記端末装置の位置の通知エリアを構成する１つ以上のセルであって、前記端末装置が在圏する在圏セルを含んだ前記１つ以上のセルのそれぞれを特定する情報を、ネットワークノードから受信させ、
前記通知エリアを脱した場合に、前記ネットワークノードまたは他のネットワークノードへ、前記通知エリアを脱したことを示す通知を送信させ、
前記通知に応じて、前記ネットワークノードまたは前記他のネットワークノードから送信された、前記端末装置の位置に応じた前記情報を受信させる、
ためのプログラム。
【発明の詳細な説明】
【技術分野】
【０００１】
本発明は、端末装置の位置の追跡技術に関する。
【背景技術】
【０００２】
現在、第３世代パートナーシッププロジェクト（３ＧＰＰ）において、第５世代の無線通信技術に関する検討が行われている（非特許文献１参照）。従来、端末装置は、基地局装置とのＲＲＣ（無線リソース制御）接続が確立されたRRC_CONNECTED状態と、ＲＲＣ接続が確立されていないRRC_IDLE状態のいずれかの状態に滞在する。ここで、RRC_CONNECTED状態では、端末装置はいずれかの基地局装置と接続しているため、コアネットワーク（ＣＮ）においても無線アクセスネットワーク（ＲＡＮ）においても端末装置の位置が認識される。また、RRC_IDLE状態では、ＣＮは端末装置の位置をトラッキングエリア（ＴＡ）の単位で特定することができるが、ＲＡＮは端末装置の位置を特定することはできない。
【先行技術文献】
【非特許文献】
【０００３】
【非特許文献１】３ＧＰＰ寄書、ＲＰ−１６０６７１、２０１６年３月
【非特許文献２】３ＧＰＰ  ＲＡＮ２  ＃９５ｂｉｓ  ｃｈａｉｒｍａｎ’ｓ  ｎｏｔｅｓ、２０１６年１０月
【発明の概要】
【発明が解決しようとする課題】
【０００４】
第５世代の無線通信システムでは、これらの２つの状態の中間に位置し、一定のデータ通信を行うことができるRRC_INACTIVE状態が定められることになっている。３ＧＰＰでは、RRC_INACTIVE状態の端末装置について、１つ以上のセルを含むＲＡＮに基づく通知エリアが定義され、ＲＡＮが、この通知エリアの単位でその端末装置の位置を知ることができるようにすることが合意されている（非特許文献２参照）。しかしながら、端末装置が通知エリアを跨いで移動する場合に、新たな通知エリアに入ったことをどのようにネットワークに通知するかが定められていない。また、通知エリアは、端末装置ごとに定められうるため、従来のRRC_IDLE状態におけるトラッキングエリア間の移動と同様の処理を用いることができない場合がある。
【０００５】
本発明は上記課題に鑑みなされたものであり、RRC_INACTIVE状態において端末装置の位置の更新を効率的に行うための技術を提供することを目的とする。
【課題を解決するための手段】
【０００６】
本発明の一態様によるネットワークノードは、前記ネットワークノードに関連すると共に無線アクセスネットワークに基づく端末装置の位置の通知エリアを構成する１つ以上のセルであって、前記端末装置が在圏する在圏セルを含んだ前記１つ以上のセルのそれぞれを特定する情報を、前記端末装置に通知する通知手段を有し、前記通知手段は、前記端末装置が前記在圏セルにおいて前記無線アクセスネットワークに接続している間に、又は、前記端末装置が他の通知エリアから脱して前記在圏セルへ移動したことに応じて、前記情報を前記端末装置へ通知する、ことを特徴とする。
【０００７】
本発明の別の一態様による端末装置は、無線アクセスネットワークに基づく前記端末装置の位置の通知エリアを構成する１つ以上のセルであって、前記端末装置が在圏する在圏セルを含んだ前記１つ以上のセルのそれぞれを特定する情報を、ネットワークノードから受信する受信手段と、前記通知エリアを脱した場合に、前記ネットワークノードまたは他のネットワークノードへ、前記通知エリアを脱したことを示す通知を送信する通知手段と、を有し、前記受信手段は、前記通知に応じて、前記ネットワークノードまたは前記他のネットワークノードから送信された、前記端末装置の位置に応じた前記情報を受信する、ことを特徴とする。
【発明の効果】
【０００８】
本発明によれば、RRC_INACTIVE状態において端末装置の位置の更新を効率的に行うことができる。
【図面の簡単な説明】
【０００９】
【図１】無線通信システムの構成例を示す図。
【図２】装置のハードウェア構成例を示す図。
【図３】ネットワークノードの機能構成例を示すブロック図。
【図４】端末装置の機能構成例を示すブロック図。
【図５】無線通信システムで実行される処理の流れの第１の例を示す図。
【図６】無線通信システムで実行される処理の流れの第２の例を示す図。
【発明を実施するための形態】
【００１０】
以下、図面を参照しながら本発明の実施形態について説明する。
【００１１】
（無線通信システムの構成）
図１に本実施形態に係る無線通信システムの構成の例を示す。本無線通信システムでは、コアネットワークに接続されている１つまたは複数の基地局装置（ｇＮＢ。ｇＮｏｄｅＢと呼ばれる場合もある。）が、１つ以上（図１の場合は３つ）のセルを形成し、そのセルに在圏する端末装置に無線通信サービスを提供する。この無線通信サービスは、いわゆるNew Radio（ＮＲ）と呼ばれる無線通信規格に従って提供されうる。また、コアネットワーク（ＣＮ）は、例えば新世代（ＮＧ）コアネットワークでありうる。なお、１つのセルは、不図示の１つ以上のTransmission Reception Point（ＴＲＰ）が形成する1つ以上のビームから形成されうる。なお、セルは、全端末装置に対して一意に特定されてもよいし、端末装置ごとに定められてもよい、論理的なビームの集合として定義されうる。
【００１２】
ロングタームエボリューション（ＬＴＥ）では、Tracking Area（ＴＡ）をRRC_IDLE状態の端末装置が跨いで移動した場合に、ＣＮがその移動を知るために、端末装置からＣＮへ通知させる仕組みが用意されている。なお、RRC_CONNECTED状態の端末装置については、接続先の基地局装置の切り替えと共に、ＣＮは、その移動を把握することができるため、別途の通知は不要である。一方、第５世代の無線通信規格では、上述のように、RRC_INACTIVE状態という新たな状態が定められる。このRRC_INACTIVE状態では、端末装置は、基地局装置と一定量の上りリンク及び下りリンクの通信を行うことができる。このため、無線アクセスネットワーク（ＲＡＮ）は、RRC_INACTIVE状態の端末装置について、大まかな位置を知っている必要がある。このため、RRC_INACTIVE状態の端末装置が、自身の位置をＲＡＮに通知するための、通知エリア（ＮＡ）が定義される。RRC_INACTIVE状態の端末装置がＮＡを跨いで移動する場合、何らかの形式でその移動をＲＡＮに通知することとなる。
【００１３】
しかしながら、ＮＡは、ＴＡとは異なり、端末装置ごとに固有であってもよく、例えばｇＮＢによる個別シグナリングを介して設定されうる。このため、ＴＡとは異なる移動通知方法が必要となる。
【００１４】
このため、本実施形態に係る端末装置は、ＮＡの情報を、ネットワークノードから取得する。なお、ここでのネットワークノードは、例えばｇＮＢでありうるが、ＲＡＮ（場合によってはＣＮ）における他のエンティティであってもよい。なお、図１においては、１つのｇＮＢが形成する３つのセルによって１つのＮＡが構成されているが、これに限られず、２つ以上のｇＮＢが形成するセルにまたがって１つのＮＡが構成されてもよいし、１つのｇＮＢが形成する複数のセルの一部のみによって１つのＮＡが構成されてもよい。ＮＡの情報は、例えば、ＮＡに含まれるすべてのセルのＩＤを示す情報でありうる。例えば、図１の第１のＮＡでは、セル１〜３のそれぞれのＩＤが、ＮＡの情報として端末装置に通知されうる。また、図１の第２のＮＡでは、セル４〜６のそれぞれのＩＤが、ＮＡの情報として端末装置に通知されうる。
【００１５】
端末装置は、例えば、自身が無線アクセスネットワークに接続している間、すなわち、RRC_CONNECTED状態の間に、接続先のセルに関連するネットワークノード（ｇＮＢ）からこの通知を受信しうる。また、端末装置は、自身がRRC_INACTIVE状態で現在属しているＮＡから脱した場合に、進入先のセルに対応するネットワークノード（ｇＮＢ）から、RRC_INACTIVE状態のまま、新たなＮＡに関する通知を受信しうる。すなわち、RRC_INACTIVE状態では、少量のデータ通信が可能であるため、端末装置は、RRC_CONNECTED状態に遷移することなく、ＮＡの情報を受信することができる。なお、端末装置は、このＮＡの通知を受信するために、RRC_CONNECTED状態に遷移してもよい。また、端末装置は、通知されていたＮＡを脱した場合に、ＮＡを脱したことの通知を送出してもよく、ネットワークノードは、その通知を受信したことに応じて、新たなＮＡの情報を端末装置に通知してもよい。このとき、ＮＡを脱したことの通知には、その時点で端末装置が在圏しているセルのＩＤが含められてもよい。なお、端末装置は、ＮＡを脱した後のセルのＩＤ等の位置の情報を送信しなくてもよく、例えば、端末装置がＮＡを脱したことのみを通知し、その通知を受信できたセルをネットワークノードが特定して、それにより端末装置の位置を特定してもよい。なお、ＮＡの情報の通知は、端末装置ごとに個別に行われてもよいが、これに限られない。例えばセルの構成とＮＡの構成とが一致している複数の端末装置に対してマルチキャストで、また、全端末装置に対してセルの構成とＮＡとの構成とが一致しているＮＡのエリア内においてブロードキャストで、通知が行われてもよい。
【００１６】
なお、上述のように、ネットワークノードが端末装置に対してＮＡを構成するセルのＩＤを通知する構成が用いられなくてもよい。例えば、ネットワークノードは、ＮＡの識別子（セルのＩＤを含まない）を端末装置に通知しうる。そして、端末装置は、そのＮＡの識別子を、RRC_INACTIVE状態において、定期的に送出する。なお、端末装置は、RRC_CONNECTED状態においてこのＮＡの識別子を送出するようにしてもよいが、この状態では、ＲＡＮによってセル単位で端末装置の位置が分かっているためＮＡの識別子を送出する必要はない。このとき、端末装置が移動して別のＮＡへと進入すると、そのＮＡに属するセルに関連するネットワークノードが端末装置からの信号を受信することとなる。この場合、ネットワークノードは、その信号が受信されたセルのＮＡと、端末装置から通知されたＮＡとが一致しないため、新たなＮＡの識別子を端末装置へと通知する。端末装置は、この新しいＮＡの通知を受信すると、その後の定期的なＮＡの識別子の送出を、その新しいＮＡを用いて行う。これにより、ＲＡＮ側において、端末装置の位置を特定することが可能となり、また、端末装置がＲＡＮと通信するためにＮＡの情報が必要な場合に、端末装置にその時点での正確なＮＡを通知することができる。なお、端末装置は、ＮＡの識別子に代えて、その時点での在圏セルのＩＤを定期的に送出するようにしてもよい。ネットワークノードは、例えば、端末装置がＲＡＮと通信するためにＮＡの情報が必要な場合等においては、端末装置に対してＮＡの識別子を通知する。例えば、ネットワークノードは、端末装置から送出された在圏セルのＩＤが変化した場合に、その変化の前後のＩＤに対応するセルが属するＮＡが異なる場合、新しいＮＡの識別子を端末装置に通知しうる。なお、ネットワークノードは、自装置の配下のセルにおいて端末装置がRRC_CONNECTED状態となっている間、又は、端末装置がRRC_INACTIVE状態で他のＮＡから自装置に関連するＮＡへと移動してきた場合に、自装置に関連するＮＡに関する情報を通知しうる。なお、移動前後のＮＡが共に１つのネットワークノードに関連している場合であっても同様の通知が行われうる。
【００１７】
なお、端末装置は、例えば、自装置の位置が１つのＮＡから脱しないまま、ＮＡ又は在圏セルの通知が所定回数に達した場合に、自装置のＮＡ又は在圏セルの通知を停止してもよい。このため、ネットワークノードは、例えば、ＮＡの情報と共にまたはその情報とは別に、その所定回数を端末装置に通知しうる。また、端末装置は、例えば、所定距離だけ移動するごとにＮＡ又は在圏セルの通知を行ってもよい。これによれば、高速で移動中の端末装置は高頻度でＮＡの識別子又は在圏セルの通知を行い、低速で移動中の端末装置はＮＡの識別子又は在圏セルの通知を行う頻度が低くなる。この場合、ネットワークノードは、例えば、ＮＡの情報と共にまたはその情報とは別に、その所定距離を端末装置に通知しうる。なお、端末装置は、例えば自装置の移動速度の積分値から移動距離を特定してもよいし、自装置の速度に応じて通知の時間間隔を特定して、その特定した時間間隔で通知を行うようにしてもよい。これによれば、移動していない端末装置がＮＡの識別子又は在圏セルの通知を繰り返すことによって、端末装置の電力が不必要に消費されることを防ぐことができる。
【００１８】
ネットワークノードは、端末装置がＮＡを跨いで移動したことを検知した場合、そのことをＣＮへと通知しうる。すなわち、ネットワークノードは、端末装置が、自装置に関連するＮＡへ他のＮＡから移動してきた場合に、端末装置の情報とその位置の情報とをＣＮへと通知しうる。なお、移動前後のＮＡが共に１つのネットワークノードに関連している場合であっても同様の通知が行われうる。
【００１９】
以下では、このような処理を実行するネットワークノード及び端末装置の構成及び実行される思慮の流れについて説明する。
【００２０】
（装置構成）
図２に、ネットワークノード及び端末装置のハードウェア構成例を示す。ネットワークノード及び端末装置は、一例において、図２に示すようなハードウェア構成を有し、例えば、ＣＰＵ２０１、ＲＯＭ２０２、ＲＡＭ２０３、外部記憶装置２０４、及び通信装置２０５を有する。ネットワークノード及び端末装置では、例えばＲＯＭ２０２、ＲＡＭ２０３及び外部記憶装置２０４のいずれかに記録された、制御装置１０１及び端末装置１０２〜１０４の各機能を実現するプログラムがＣＰＵ２０１により実行される。なお、ＣＰＵ２０１は、ＡＳＩＣ（特定用途向け集積回路）、ＦＰＧＡ（フィールドプログラマブルゲートアレイ）、ＤＳＰ（デジタルシグナルプロセッサ）等の１つ以上のプロセッサによって置き換えられてもよい。
【００２１】
そして、ネットワークノード及び端末装置は、例えばＣＰＵ２０１により通信装置２０５を制御して、ネットワークノード及び端末装置との間の通信又は他の装置との間の通信を行う。なお、図２では、ネットワークノード及び端末装置は、１つの通信装置２０５を有するような概略図を示しているが、これに限られない。例えば、ネットワークノードは、他のネットワークノードやコアネットワークとの間の通信用の通信装置と、端末装置との間の通信装置とを有してもよい。
【００２２】
なお、ネットワークノード及び端末装置は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２３】
図３は、ネットワークノードの機能構成例を示す図である。ネットワークノードは、例えばｇＮＢでありうるが、ＲＡＮにおける端末装置の位置を管理することができる任意のエンティティでありうる。ネットワークノードは、例えば、通信部３０１と、移動判定部３０２と、ＮＡ通知部３０３とを含んで構成される。通信部３０１は、例えばネットワークノードがｇＮＢの場合はＴＲＰを介して端末装置と通信し、例えばネットワークノードが複数のｇＮＢに関するセルを含んだＮＡを管理する上位装置である場合は各ｇＮＢと通信するように構成される。通信部３０１は、ＣＮとも通信可能に構成されうる。移動判定部３０２は、端末装置から、端末装置がＮＡを跨いで移動したことの通知を受信したことに応じて、又は、他のＮＡの識別子の通知若しくは他のＮＡに属するセルのＩＤを受信したことに応じて、端末装置がＮＡを跨いで移動したと判定する。
【００２４】
ＮＡ通知部３０３は、ネットワークノードが関連するセルに在圏する端末装置に対して、ＮＡの情報を通知する。例えば、ＮＡ通知部３０３は、端末装置が在圏するセルを含んだＮＡについて、そのＮＡに含まれるセルのＩＤをすべて含んだ情報を、その端末装置へ通知する。また、ＮＡ通知部３０３は、例えば、端末装置が在圏するセルを含んだＮＡの識別子（セルのＩＤを含まない）を端末装置へ通知してもよい。また、ＮＡ通知部３０３は、例えば、ＮＡの識別子の情報に加えて、ＮＡの変更を伴わずにＮＡの識別子を送信する回数の上限値や、ＮＡの識別子の報告を行うまでの移動距離の情報を通知してもよい。この場合、端末装置は、例えば、更新されたＮＡの通知をネットワークノードから受信せずに、ネットワークノードから通知された上限値の回数だけＮＡの識別子又は在圏セルのＩＤの報告を行った後に、報告を停止しうる。また、端末装置は、例えば、通知された距離だけ移動した場合にのみＮＡの識別子又は在圏セルのＩＤの報告を行い、そのような移動の前には報告を行わないようにしうる。
【００２５】
なお、通信部３０１は、端末装置がＮＡを跨いで移動したと移動判定部３０２が判定した場合に、ＣＮに対して、端末装置の位置が変化したことを通知しうる。また、ＮＡ通知部３０３は、ネットワークノードが関連するセルにおいて、端末装置がRRC_CONNECTED状態となった場合、又は、端末装置がＮＡを跨いで移動したと移動判定部３０２が判定した場合に、端末装置に対して、ＮＡに関する情報を通知しうる。また、ＮＡ通知部３０３は、例えば、ＮＡの変更を伴わずにＮＡの識別子又は在圏セルのＩＤを送信する回数の上限値や、ＮＡの識別子の報告を行うまでの移動距離の情報を、ＮＡの通知と共に１つのメッセージで通知してもよいし、別のメッセージで通知してもよい。例えば、ＮＡ通知部３０３は、これらのＮＡの識別子の情報以外の情報について、マルチキャスト信号又はブロードキャスト信号によって、ＮＡの範囲内に存在する端末装置に対して一斉に通知してもよい。また、ＮＡ通知部３０３は、ＮＡの識別子の情報を、端末装置ごとに個別に通知してもよいし、マルチキャストやブロードキャストによって複数の端末装置に対して一斉に通知してもよい。また、ＮＡ通知部３０３は、RRC_INACTIVE状態の端末装置に対しては、状態を遷移させずに上述の各通知を行いうる。
【００２６】
図４は、端末装置の機能構成例を示す図である。端末装置は、例えば、通信部４０１、ＮＡ情報取得部４０２、及び位置通知部４０３を含んで構成される。通信部４０１は、ｇＮＢによって形成される１つ以上のビームからなるセルのいずれかに在圏している間に、そのｇＮＢとの間で無線通信を行うことができる。なお、端末装置は、接続を確立しており大容量の上りリンク及び下りリンクの通信が可能なRRC_CONNECTED状態と、接続を確立していないが、少量の上りリンク及び下りリンクの通信が可能なRRC_INACTIVE状態と、下りリンクのＰａｇｉｎｇやブロードキャスト信号などを受信するのみのRRC_IDLE状態のいずれかの状態に滞在しうる。このように、通信部４０１は、RRC_CONNECTED状態またはRRC_INACTIVE状態において、ｇＮＢと通信することができる。ＮＡ情報取得部４０２は、在圏セルを含むＮＡの情報をネットワークノードから受信して取得する。例えば、ＮＡ情報取得部４０２は、ＮＡに含まれるセルのＩＤをすべて含んだ情報を取得する。また、ＮＡ情報取得部４０２は、例えば、ＮＡの識別子を取得し、ＮＡを構成するセルのＩＤについては取得しなくてもよい。また、ＮＡ情報取得部４０２は、例えば、ＮＡの識別子の情報に加えて、ＮＡの変更を伴わずにＮＡの識別子又は在圏セルのＩＤを送信する回数の上限値や、ＮＡの識別子等の報告を行うまでの移動距離の情報を取得しうる。位置通知部４０３は、例えば、通知されたＮＡを構成するセルと異なるセルに在圏することとなった場合に、その時点でのＮＡから脱したことを、ネットワークノードに通知する。例えば、位置通知部４０３は、通信部４０１を介して観測された参照信号が、その時点でのＮＡに属するセルで使用される参照信号でないことを検知すると、ＮＡから脱したと判定しうる。なお、位置通知部４０３は、ＮＡ情報取得部４０２がＮＡの識別子を取得しているが、セルのＩＤを取得していない場合、自身がＮＡから脱したか否かを判定することができない場合がありうる。このため、このような場合には、位置通知部４０３は、例えば定期的にＮＡの識別子又は在圏セルのＩＤを送出しうる。また、位置通知部４０３は、ＮＡを跨いだ移動をすることなくＮＡの識別子又は在圏セルのＩＤを報告する回数の上限値をＮＡ情報取得部４０２が取得した場合には、ネットワークノードから更新されたＮＡの通知を受信しない間にＮＡの識別子又は在圏セルのＩＤの報告回数がその上限値に達したことに応じて、報告を停止しうる。また、位置通知部４０３は、ＮＡの識別子等の報告を行うまでの移動距離の情報を取得した場合、その取得した移動距離だけ移動するごとに、ＮＡの識別子又は在圏セルのＩＤを報告しうる。なお、位置通知部４０３は、端末装置がRRC_CONNECTED状態にある場合には、報告を行わなくてもよい。
【００２７】
（処理の流れ）
続いて、処理の流れの例について説明する。なお、以下の処理例では、上述のように、第１ｇＮＢがセル１〜３を構成し、第２ｇＮＢがセル４〜６を構成しており、セル１〜３が第１のＮＡを構成し、セル４〜６が第２のＮＡを構成するものとする。また、第１ｇＮＢと第２ｇＮＢは、それぞれ異なる第１ネットワークノードおよび第２ネットワークノードに接続されているものとする。なお、ｇＮＢがネットワークノードとして機能する場合は、ｇＮＢとネットワークノードとの間のメッセージの送受信は省略されうる。
【００２８】
＜処理例１＞
本処理例では、ネットワークノードが、ＮＡに含まれるセルのＩＤを端末装置に通知する場合の例について、図５を用いて説明する。本処理例では、まず、端末装置は、RRC_CONNECTED状態で、第１ｇＮＢ内のセルのいずれかに在圏しているものとする（Ｓ５０１）。この状態において、第１ネットワークノードは、端末装置に対して、この時点の在圏セルを含んだ、ＮＡを構成するセルのＩＤを端末装置へと通知する（Ｓ５０２）。これにより、端末装置は、自身が在圏するセルと同じＮＡに属するセルを知ることができる。その後、端末装置は、接続状態を解除して、RRC_INACTIVE状態へと遷移し（Ｓ５０３）、自身の位置に関する情報をＲＡＮに登録させるためのメッセージを送出する（Ｓ５０４）。なお、ここでのメッセージは、端末装置がRRC_INACTIVE状態へと遷移したことをＲＡＮへと通知し、ＲＡＮがＮＡに基づく端末装置の位置管理を開始させるための任意のメッセージでありうる。その後、端末装置は、例えば、各セルにおいて送出される参照信号を観測して、その時点での在圏セルを監視する。端末装置は、在圏セルのＩＤが、Ｓ５０２で通知されたＮＡを構成するセルのＩＤに含まれている場合は、自身の位置を報告する必要はない。ネットワークノードは、端末装置からの報告がないことを以て、端末装置が前回通知したＮＡから脱していないことを知ることができるからである。
【００２９】
その後、端末装置は、第２ｇＮＢが構成するセル４〜６のエリアへと移動したものとする（Ｓ５０５）。この場合、端末装置は、セル４〜６のいずれかで用いられる参照信号を観測したことにより、それまでの第１のＮＡから脱して、他のＮＡの領域へと進入したと判定する（Ｓ５０６）。すると、端末装置は、自身の位置に関する通知、すなわち、それまで在圏していた第１のＮＡのエリアから脱したことの通知を、移動先のセルにおいて送出する（Ｓ５０７）。そして、その時点での端末装置の在圏セルを構成する第２ｇＮＢに接続された第２ネットワークノードは、この通知を受信すると、端末装置の位置が変化したことをＣＮへと通知する（Ｓ５０８）。また、第２ネットワークノードは、端末装置のその時点での在圏セルを含んだ、ＮＡを構成するセルのＩＤを、端末装置へと通知する（Ｓ５０９）。なお、Ｓ５０７とＳ５０９の一方又は両方の処理は、端末装置がRRC_INACTIVE状態のままで行われてもよいし、端末装置がRRC_CONNECTED状態へと遷移してから行われてもよい。その後、端末装置は、Ｓ５０５〜Ｓ５０７と同様に、移動によってそれまで在圏していたＮＡから脱した場合に、ネットワークノードへその旨を通知し、ネットワークノードから更新されたＮＡの情報を取得する処理を継続する。なお、端末装置とネットワークノードとの間の通知の送受信の際には、他の少量のデータ（例えばユーザデータ）が共に送信されてもよい。
【００３０】
＜処理例２＞
本処理例では、ネットワークノードが、ＮＡに含まれるセルのＩＤについては端末装置に通知しない場合の例について、図６を用いて説明する。本処理例でも、まず、端末装置は、RRC_CONNECTED状態で、第１ｇＮＢ内のセルのいずれかに在圏しているものとする（Ｓ６０１）。この状態において、第１ネットワークノードは、端末装置に対して、この時点の在圏セルを含んだＮＡについて、そのＮＡの識別子を通知する（Ｓ６０２）。ここでは、そのＮＡに含まれるセルのＩＤは通知されない。なお、第１ネットワークノードは、例えばSystem Information Block（ＳＩＢ）などのブロードキャスト信号によって、ＮＡの変更を伴わずに通知を行う回数の上限や、ＮＡの識別子の報告を行うまでの移動距離の情報を通知してもよい（不図示）。また、第１ネットワークノードは、これらの情報を、Ｓ６０２の通知と共に端末装置へと送信してもよい。また、これらの情報は通知されなくてもよい。
【００３１】
その後、端末装置は、接続状態を解除して、RRC_INACTIVE状態へと遷移し（Ｓ６０３）、自身の位置に関する情報をＲＡＮに登録させるためのメッセージを送出する（Ｓ６０４）。このメッセージは、上述のＳ５０４のメッセージと同様である。その後、端末装置は、定期的に又は通知された所定距離だけ移動するごと等、断続的に在圏するＮＡの識別子を含んだ通知を送出する（Ｓ６０５）。その後、端末装置が第２ｇＮＢが構成するセル４〜６のエリアへと移動すると（Ｓ６０６）、端末装置が定期的に送出している通知を、第２ネットワークノードが受信することとなる（Ｓ６０７）。この場合、通知に含まれる第１のＮＡの識別子は、第２ネットワークノードが管理する第２のＮＡの識別子と異なるため、第２ネットワークノードは、端末装置が、それまで在圏していたＮＡを脱したと判定する。このため、第２ネットワークノードは、端末装置の位置が変化したことをＣＮへと通知し（Ｓ６０８）、更新されたＮＡ（第２のＮＡ）の情報を端末装置へと通知する（Ｓ６０９）。これにより、なお、Ｓ６０９の処理は、端末装置がRRC_INACTIVE状態のままで行われてもよいし、端末装置がRRC_CONNECTED状態へと遷移してから行われてもよい。その後、端末装置は、Ｓ６０５及びＳ６０６と同様に、通知されたＮＡの識別子を断続的に送出し、ＮＡから脱したか否かの判定をネットワークノードに委ねる。そして、ネットワークノードは、端末装置が異なるＮＡのエリアから自装置の管理するＮＡへと進入したと判定した場合に、更新されたＮＡの情報を端末装置へと通知する。なお、端末装置とネットワークノードとの間の通知の送受信の際には、他の少量のデータ（例えばユーザデータ）が共に送信されてもよい。
【００３２】
なお、端末装置は、ＮＡの識別子に代えて、在圏セルのＩＤを断続的に報告するようにしてもよい。この場合も、端末装置がＮＡのエリアから脱したか否かの判定がネットワークノードにおいて行われ、ネットワークノードは、端末装置がそれまで在圏していたＮＡのエリアを脱したと判定した場合、ＮＡの識別子を端末装置へと通知する。これにより、端末装置は、自身の属するＮＡを知りながら、ＲＡＮ側へ自装置の詳細な位置を通知することができる。
【００３３】
また、端末装置は、上述のような通知の上限回数や、移動距離に関する情報を取得した場合には、それに従って、ＮＡの識別子又は在圏セルのＩＤの通知を行いうる。これによれば、端末装置は、例えば、自装置の位置が１つのＮＡから脱しないまま、ＮＡ又は在圏セルの通知が、ネットワークノードによって指定された上限回数に達した場合に、自装置のＮＡ又は在圏セルの通知を停止する。また、端末装置は、ネットワークノードによって指定された所定距離だけ移動するごとにＮＡの識別子又は在圏セルの通知を行うことにより、高速で移動中の場合は高頻度で、低速で移動中の場合は低頻度で、ＮＡの識別子又は在圏セルの通知を行う。これによれば、移動していない端末装置がＮＡの識別子又は在圏セルの通知を繰り返すことによって、端末装置の電力が不必要に消費されることを防ぐことができる。
【００３４】
以上のような処理により、ＲＡＮにおいてRRC_INACTIVE状態の端末装置の位置を特定することが可能となり、ＲＡＮは、RRC_INACTIVE状態における端末装置の存在する適切な領域で、その端末装置宛ての信号を送信することができる。
【図１】
2018152774.tif 000003
【図２】
2018152774.tif 000004
【図３】
2018152774.tif 000005
【図４】
2018152774.tif 000006
【図５】
2018152774.tif 000007
【図６】
2018152774.tif 000008